【事件の表示】
　平成　９年特許願第　７８０２３号「音声式建物設備制御システム」拒絶査定不服審判事件〔平成１０年１０月１３日出願公開、特開平１０−２７６４８３〕について、次のとおり審決する。
【結　論】
　本件審判の請求は、成り立たない。
【理　由】
１．手続の経緯
　本願は，平成９年３月２８日の出願であって，平成１８年２月１３日付けで拒絶理由が通知され，平成１８年３月２９日に意見書及び手続補正書が提出され，平成１８年４月２７日付けで拒絶査定がなされ，これに対し，平成１８年６月７日に拒絶査定に対する審判請求がなされるとともに，平成１８年７月４日付けで手続補正がなされたものである。
　
２．平成１８年７月４日付けの手続補正についての補正却下の決定
［補正却下の決定の結論］　
　平成１８年７月４日付けの手続補正を却下する。
［理由］　
（１）補正後の本願発明　
　本件補正により，特許請求の範囲の請求項１は，
　「建物内に設けられた設備を音声指令により制御する音声式建物設備制御システムであって，
　所定の命令により前記設備を制御する設備コントローラと，音声指令により前記設備コントローラに命令を送る音声認識制御装置とを備え，
　前記音声認識制御装置は，前記建物内の各区画毎に設置された複数の集音手段が接続され，かつ，前記各集音手段から入力された音声を処理する音声入力処理部と，入力された音声を命令として認識する音声命令認識部と，認識された命令に基づいて前記設備コントローラへの命令を出力する命令処理部とを備え，
　前記音声入力処理部は，前記集音手段から音声入力があった際に当該集音手段が設置された区画を示す区画コードを当該音声入力に付加する命令位置信号発生部を備え，
　前記音声命令認識部は，前記集音声入力処理部で処理された音声，および，音声入力された時間に対応する命令を認識する命令認識部を備え，
　前記命令処理部は，前記区画コードから音声入力された区画を識別し，前記音声命令認識部で認識された命令および前記区画に応じた複数の特殊処理を指定する命令位置フィルタと，
　前記命令位置フィルタで指定された前記複数の特殊処理から，前記建物および前記区画内における人の有無等の状況に応じて実際に実行すべき命令群を選択する実行命令解析部と，
　前記実行命令解析部で選択された命令群を前記設備コントローラへ出力する命令出力部とを備え，
　前記命令位置信号発生部からの区画コードによって音声命令が発せられた区画を識別し，該当区画の状況に応じた特殊処理を指定することを特徴とする音声式建物設備制御システム。」と補正された。
　この請求項１は，平成１８年３月２９日付けの手続補正書の特許請求の範囲の請求項１を補正したものである。　
　上記補正は，本件補正前の請求項１に記載された発明の「音声式建物設備制御システム」について，「前記命令位置信号発生部からの区画コードによって音声命令が発せられた区画を識別し，該当区画の状況に応じた特殊処理を指定する」との限定事項を付加するものであって，平成１８年改正前特許法第１７条の２第４項第２号の特許請求の範囲の減縮を目的とするものに該当する。
　そこで，本件補正後の請求項１に記載された発明（以下，「本願補正発明」という。）が特許出願の際独立して特許を受けることができるものであるか（平成１８年改正前特許法第１７条の２第５項において準用する同法第１２６条第５項の規定に適合するか）について以下に検討する。　
　
（２）引用例
　原査定の拒絶の理由に引用された特開平７−１９１７１５号公報（以下，「引用例」という。）には，図面とともに以下の記載がある。
　（イ）「【請求項５】システム設置場所内の複数の物理位置毎に少なくとも指定機能を制御するためにユーザにより発声された位置従属の言語コマンドを用いるコンピュータ制御システムであって，
　前記システム設置場所内の複数の物理位置の各々で言語コマンドを検知する手段と，
　前記システム設置場所内の前記複数の物理位置毎に前記言語コマンドのボリュームを決定する手段と，
　前記検知された言語コマンドの最高のボリュームを有する前記システム設置場所内の選択された物理位置を識別する手段と，
　前記選択された物理位置のみで前記指定機能を制御する手段とを備えるコンピュータ制御システム。」（２頁１欄３６〜４８行）
　（ロ）「【００１１】
【課題を解決するための手段】前述の目的は以下に説明するように達成される。複数の物理位置を有するシステム設置場所内のコンピュータ制御システム内で位置従属の言語コマンドを実行する方法及びシステムが開示される。各々の物理位置で指定機能，例えば照明器具又は警報装置は選択された言語コマンドにより制御できる。各言語コマンドの発声を検知するために前記システム設置場所内の各ルーム又は物理位置でマイクロホンが用いられ，そして当該コマンドが検知される物理位置毎に各言語コマンドのボリュームが決定される。その後，検知された言語コマンドの最高のボリュームを有する物理位置が識別され，そして前記指定機能が当該位置においてのみ制御される。異なる物理位置で複数の話者が同時に同じ言語コマンドを発声する場合には，最大ボリュームの位置が話者毎に決定され，そして各話者と関連した最大ボリューム位置においてのみ前記指定機能が制御される。このように，位置従属の方法でシステム設置場所内の複数の位置における同一の機能を制御するために単一の言語コマンドを用いることができる。」（３頁４欄４〜２３行）
　（ハ）「【００１３】
【実施例】図１は本発明の方法及びシステムに従ってハウス１０内に取付けられたコンピュータ制御システムを示す。図示のように，ハウス１０は十分な数のルーム，即ちルーム１２，１４，１６，１８，２０，２２，２４，２６及び２８のような別々の物理位置を備えることがある。これらのルームの各々における中心的な位置には，言語コマンド検知装置，例えばマイクロホンが配置される。ルーム１２にはマイクロホン３２が配置される。ルーム１４にはマイクロホン３４が配置され，そして前述の各ルームにはそれぞれ対応するマイクロホンが配置され，それらは当該物理位置で発声された言語コマンドを検知するのに使用できる。
【００１４】説明上，照明器具はハウス１０内の各ルーム又は物理位置に示される。従って，照明装置５２はルーム１２の中に配置される。同様に，本発明のコンピュータ制御システムによる指定機能の制御を示すために照明器具が用いられているが，実質的に本発明の精神及び意図から逸脱せずに，本発明の方法及びシステムを用いて警報システム，器械又は他の類似の機能を制御できることも当業者は理解するであろう。
【００１５】ハウス１０内の中央部の位置にはコンピュータ７０が配置される。コンピュータ７０はいわゆるパーソナルコンピュータのような任意の適切なコンピュータ，例えばＩＢＭ　社　（ニューヨーク州アーモンク）　製造のパーソナルシステム／２（ＰＳ／２：商標）コンピュータを用いて実現できる。」（３頁４欄２６行〜４頁５欄１行）
　（ニ）「【００１７】図２は本発明のコンピュータ制御システムの主要構成素子を示す高レベルブロック図を示す。図示のように，マイクロホン３２〜４８の各々はアナログ・ディジタル変換器７２と結合させることが望ましい。もちろん，本明細書の参照により，ディジタル形式への変換は不要であるが，コンピュータ内のディジタル値の操作により種々の利点が提供されることが当業者に理解されるであろう。
【００１８】次に，アナログ・ディジタル変換器７２の各々の出力が直列化器７４に結合される。アナログ・ディジタル変換器７２の各々の出力をコンピュータ７０との結合に適した形式に配列できる適切な回路を用いて直列化器７４を設けることがある。更に，図示された本発明の実施例では，マイクロホン３２〜４８を用いて検知された複数の言語コマンドが実質的に同時発声であるかどうかを判定し，１つの発声が複数のマイクロホンで検知されたことを示すために，直列化器７４がアナログ・ディジタル変換器７２の各々の出力に関連するタイムスタンプ値を提供することが望ましい。もちろん，アナログ・ディジタル変換器７２の各々の出力を直列化器７４を介してコンピュータ７０に結合させる際に若干の時間差が必然的に起きることが当業者に理解されるであろう。しかしながら，本発明では，検知された別の発声の数ミリ秒の範囲内に起きる発声が全て同時発声と見なされる。
【００１９】次に，コンピュータ７０は予め記憶された言語コマンドテンプレートと比較してアナログ・ディジタル変換器７２の各々の出力を分析する。前記テンプレートは，マイクロホン３２〜４８で検知された言語コマンドが，このシステムで訓練された言語コマンドとして認識されるかどうかを判定するために用いられる。すなわち，言語コマンドを用いるコンピュータ制御システムにより認識されるべき言語コマンドを訓練する訓練用テンプレートの生成は簡単なことであり，そして言語コマンドに複数のテンプレートの生成，公称値を満たすテンプレートの平均化，及び当該公称テンプレートからの許容される偏差の指定を含むだけであることが音声認識技術の当業者に理解されるであろう。」（４頁５欄１２〜４８行）
　（ホ）「【００２１】次に，本発明の重要な特徴に従って，マイクロホン３２〜４８で検知された言語コマンドの各々の，特定の言語コマンドの最大ボリュームを所有する，物理位置を決定する振幅比較ソフトウェア７８がコンピュータ７０内で実行される。即ち，一人の話者の場合には，１つの物理位置が言語コマンドの最大ボリュームを検知し，又は複数の話者が同時に言語コマンドを発声する場合には，前記位置は各個の話者に関連した最大ボリュームを有する。その後，前述のように，ワイヤードバス又は無線周波リンクを介して指定機能を制御する制御信号が機能制御バス８０を介して出力される。
【００２２】このように，本発明の方法及びシステムに従って，本システム内で検知された言語コマンドが分析され，最大ボリュームが生じる物理位置が検知され，その後，コンピュータ７０は当該言語コマンドに関連した特定の機能を当該位置においてのみ制御する。このように，特定の照明器具の言語仕様，及び言語コマンドの位置非従属の解釈が生ずる複雑さの増大を必要としない，ハウス１０内の任意のルーム内の照明器具を制御する簡単なコマンド”ＬＩＧＨＴ　ＯＮ”　（ライトオン）　を用いることができる。」（４頁６欄１７〜３７行）
　
　上記摘記事項中の「ハウス」とは建物のことであり，
　上記摘記事項中の「照明器具」や「警報装置」は設備であり，
　上記摘記事項中の「言語コマンド」とは音声指令であり，
　上記摘記事項中の「アナログ・ディジタル変換器」，「コンピュータ」と「直列化器」は，「言語コマンド」すなわち音声指令によって建物内の設備を制御しているから，音声認識制御装置ということができ，また，照明器具，警報装置等の設備を制御する設備コントローラが当然に存在しており，これらコンピュータを含む全体は音声式建物設備制御システムということができ，
　上記摘記事項中の「マイクロホン」は集音手段であり，
　上記摘記事項中の「アナログ・ディジタル変換器」と「直列化器」は音声の入力処理を行っているから音声入力処理部であり，
　上記摘記事項中の「コンピュータ」は入力された音声を命令として認識しているから，当然音声命令認識部を備え，さらにこの認識された命令に基づいて設備コントローラへの命令を出力しているから，当然命令処理部を備えており，
　コンピュータが各物理位置を認識することが必要である以上，「直列化器」からの出力には，集音手段が設置された各物理位置を示す指標が付加されており，これを行う部位を命令位置信号発生部と称することができ，
　上記したように，「命令処理部」は認識された命令に基づいて設備コントローラへの命令を出力しているから，当然，音声入力された各物理位置を示す指標から物理位置を識別しており，また，照明器具の点灯や警報装置の作動といった処理の指定を行っているから，これらをまとめると，命令処理部は，物理位置指標から音声入力された物理位置を識別し，音声命令認識部で認識された命令および前記物理位置に応じた処理を指定しており，当然このための手段も備えている。
　したがって，引用例には，
「建物内に設けられた設備を音声指令により制御する音声式建物設備制御システムであって，
　所定の命令により前記設備を制御する設備コントローラと，音声指令により前記設備コントローラに命令を送る音声認識制御装置とを備え，
　前記音声認識制御装置は，前記建物内の各物理位置毎に設置された複数の集音手段が接続され，かつ，前記各集音手段から入力された音声を処理する音声入力処理部と，入力された音声を命令として認識する音声命令認識部と，認識された命令に基づいて前記設備コントローラへの命令を出力する命令処理部とを備え，
　前記音声入力処理部は，前記集音手段から音声入力があった際に当該集音手段が設置された物理位置を示す物理位置指標を当該音声入力に付加する命令位置信号発生部を備え，
　前記命令処理部は，前記物理位置指標から音声入力された物理位置を識別し，前記音声命令認識部で認識された命令および前記物理位置に応じた処理を指定する手段とを備え，
　前記命令位置信号発生部からの物理位置指標によって音声命令が発せられた物理位置を識別し，該当物理位置に応じた処理を指定する音声式建物設備制御システム。」の発明（以下，「引用例発明」という。）が記載されている。
　
（３）対比
　本願補正発明と引用例発明を対比すると，
引用例発明の「物理位置」も本願補正発明の「区画」も，ともに建物内の場所を示しており，
引用例発明の「物理位置指標」も本願補正発明の「区画コード」も，ともに建物内の場所を指し示すということにおいて，場所指標ということができるから，
　両者は，
　「建物内に設けられた設備を音声指令により制御する音声式建物設備制御システムであって，
　所定の命令により前記設備を制御する設備コントローラと，音声指令により前記設備コントローラに命令を送る音声認識制御装置とを備え，
　前記音声認識制御装置は，前記建物内の各場所毎に設置された複数の集音手段が接続され，かつ，前記各集音手段から入力された音声を処理する音声入力処理部と，入力された音声を命令として認識する音声命令認識部と，認識された命令に基づいて前記設備コントローラへの命令を出力する命令処理部とを備え，
　前記音声入力処理部は，前記集音手段から音声入力があった際に当該集音手段が設置された場所を示す場所指標を当該音声入力に付加する命令位置信号発生部を備え，
　前記命令処理部は，前記場所指標から音声入力された場所を識別し，前記音声命令認識部で認識された命令および前記場所に応じた処理を指定する手段とを備え，
　前記命令位置信号発生部からの場所指標によって音声命令が発せられた場所を識別し，処理を指定する音声式建物設備制御システム。」の点で一致し，以下の点で相違している。
　
　［相違点１］
　建物内の場所に関して，本願補正発明は「区画」であるのに対して，引用例発明は「物理位置」である。
　［相違点２］
　建物内の場所指標が，本願補正発明では「区画コード」であるのに対して引用例発明は「物理位置指標」である。
　［相違点３］
　本願補正発明では「前記音声命令認識部は，前記集音声入力処理部で処理された音声，および，音声入力された時間に対応する命令を認識する命令認識部を備え」ているが，引用例発明にはその構成がない。
　［相違点４］
　処理を指定する手段に関して，本願補正発明は「命令位置フィルタ」であり，処理自体も「複数の特殊」処理であるが，引用例発明には，「命令位置フィルタ」も，「複数の特殊」処理もない。
　［相違点５］
　命令処理部が，本願補正発明は「前記命令位置フィルタで指定された前記複数の特殊処理から，前記建物および前記区画内における人の有無等の状況に応じて実際に実行すべき命令群を選択する実行命令解析部と，前記実行命令解析部で選択された命令群を前記設備コントローラへ出力する命令出力部と」を備えているのに対し，引用例発明はそのような構成はない。
　［相違点６］
　処理が，本願補正発明では「該当区画の状況」に応じた「特殊」処理であるのに対し，引用例発明は「該当物理位置」に応じた処理にすぎない。
　
（４）判断
　［相違点１］［相違点２］について
　引用例１に関しての上記摘記事項（ロ）及び関連図である図１から明らかなように，物理位置の実際は，ほとんどの場合，各ルームと１対１に対応しており，ルームが区画であることは自明である。なお，ルーム２０の場合のみは，２つの物理的位置が示されているが，これは，２つの照明器具を個別に管理する必要性から出たものにすぎない。してみると，物理位置に代えて，各ルームを区画としたり，あるいは，各設備の周辺を区画と定義したり，する程度のことは，技術的にみて，格別な創意工夫を要するものとはいえない。そして，引用例発明が，コンピュータのようなデジタル処理装置を含んでいる以上，この区画どうしを識別するために，コードを付与することも，ほとんど当然な設計的事項といえる。したがって，引用例発明の「物理位置指標」を区画コードとすることにも，格別な創意工夫を要するものとはいえない。
　［相違点３］について
　時刻，季節，場所等の状況によって，同じ言葉でも別の意味となることは広く知られた事実であるから，このうちの時間を考慮して，「音声命令認識部は，集音声入力処理部で処理された音声，および，音声入力された時間に対応する命令を認識」できるようにすることは，当然考慮すべき事項を構成的に付加した程度のことにすぎず，格別な創意工夫といえるものではない。また，そのための手段として，「命令認識部」を備えるようにすることも，制御システムである以上格別の技術的意義はない。
　［相違点４］［相違点５］［相違点６］について
　建物設備制御における被制御対象である設備が，区画毎に複数存在したり，各区画毎に異なった設備であることや人の有無に応じて設備に適切な実行を命令を行うことは，例えば，特開平５−２２５４８２号公報，特開平３−４６８８８号公報，特開平４−３３８８０１号公報等から明らかなように，周知といえるから，引用例発明において，設備を各区画毎に複数化したり，各区毎に異なった設備とし，人の有無に応じて各設備に適切な実行命令を行うこと自体に，技術課題として格別なものを見出すことはできない。そして，この課題を解決するために，手段として，「命令位置フィルタ」と「命令位置フィルタで指定された複数の特殊処理から，建物および区画内における人の有無等の状況に応じて実際に実行すべき命令群を選択する実行命令解析部と，実行命令解析部で選択された命令群を設備コントローラへ出力する命令出力部と」を備えるようにし，「該当区画の状況」に応じた「特殊」処理をすることも，前記技術課題を具体化する際の実施手順を分析すれば，当然導かれる手段や手続の羅列の域を出ていないから，［相違点４］［相違点５］［相違点６］に係る本願補正発明の構成は，単なる設計的変更にすぎない。
　そして，本願補正発明の作用効果も，引用例発明及び周知事項から当業者が予測できる範囲のものである。
　したがって，本願補正発明は，引用例発明及び周知事項に基づいて，当業者が容易に発明をすることができたものであるから，特許法第２９条第２項の規定により特許出願の際独立して特許を受けることができないものである。
　
（５）むすび
　以上のとおり，本件補正は，平成１８年改正前特許法第１７条の２第５項で準用する同法第１２６条第５項の規定に違反するものであり，特許法第１５９条第１項の規定により読み替えて準用する同法第５３条第１項の規定により却下されるべきものである。
　
３．本願発明について
　平成１８年７月４日付けの手続補正は上記のとおり却下されたので，本願の請求項１に係る発明（以下，「本願発明」という。）は，平成１８年３月２９日付けの手続補正書の特許請求の範囲の請求項１に記載された事項により特定される，以下のとおりのものである。
　「建物内に設けられた設備を音声指令により制御する音声式建物設備制御システムであって，
　所定の命令により前記設備を制御する設備コントローラと，音声指令により前記設備コントローラに命令を送る音声認識制御装置とを備え，
　前記音声認識制御装置は，前記建物内の各区画毎に設置された複数の集音手段が接続され，かつ，前記各集音手段から入力された音声を処理する音声入力処理部と，入力された音声を命令として認識する音声命令認識部と，認識された命令に基づいて前記設備コントローラへの命令を出力する命令処理部とを備え，
　前記音声入力処理部は，前記集音手段から音声入力があった際に当該集音手段が設置された区画を示す区画コードを当該音声入力に付加する命令位置信号発生部を備え，
　前記音声命令認識部は，前記音声入力処理部で処理された音声，および，音声入力された時間に対応する命令を認識する命令認識部を備え，
　前記命令処理部は，前記区画コードから音声入力された区画を識別し，前記音声命令認識部で認識された命令および前記区画に応じた複数の特殊処理を指定する命令位置フィルタと，
　前記命令位置フィルタで指定された前記複数の特殊処理から，前記建物および前記区画内における人の有無等の状況に応じて実際に実行すべき命令群を選択する実行命令解析部と，
　前記実行命令解析部で選択された命令群を前記設備コントローラへ出力する命令出力部とを備えていることを特徴とする音声式建物設備制御システム。」
　
（１）引用例　
　原査定の拒絶の理由に引用された引用例の記載事項は，前記「２．」の「（２）」に記載したとおりである。
　
（２）対比・判断
　本願発明は，前記「２．」で検討した本願補正発明から，「音声式建物設備制御システム」の限定事項である「前記命令位置信号発生部からの区画コードによって音声命令が発せられた区画を識別し，該当区画の状況に応じた特殊処理を指定する」との構成を省いたものである。
　そうすると，本願発明の構成要件を全て含み，さらに他の構成要件を付加したものに相当する本願補正発明が，前記「２．（４）」に記載したとおり，引用例発明及び周知事項に基づいて，当業者が容易に発明をすることができたものであるから，本願発明も同様な理由により，引用例発明及び周知事項に基づいて，当業者が容易に発明をすることができたものである。
　
（３）むすび
　以上のとおり，本願発明は，引用例発明及び周知事項に基づいて，当業者が容易に発明をすることができたものであるから，特許法第２９条第２項の規定により特許を受けることができない。
　
　よって，結論のとおり審決する。